(57)【要約】【課題】陽子の中の電磁気の輪のエネルギーがクオークのエネルギーに成っているのかもしれない。電子の中の電気の光子の輪や磁気の光子の輪がクオークのエネルギーに成っているのかもしれない。【解決手段】クオークのエネルギーと陽子の中の電磁気の輪のエネルギーを比較する。特願2014−247501に於いて、陽子の中で、３つの輪のエネルギーを算出した。この輪のエネルギーがクオークのエネルギーの何倍に相当するか。例えば、陽子の中の3つの輪のエネルギーは其々、7.273×10−23Jです。この陽子は高エネルギー加速器の中で、光速で回転していますので、3×108倍のエネルギーに成っています。このエネルギーは、7.273×10−23J×3×108×6.2415×1018eV÷106＝0.1362MeV、です。uクオークのエネルギーが5MeVの場合、5 MeV÷0.1362MeV＝36.71倍。陽子の中の1つの束は核磁子の36.71倍のエネルギーになっている。【選択図】図１
2016116300.tif 000002
【特許請求の範囲】
【請求項１】
陽子のラブの輪について。
特願2014−247501において、表1のように考えた。
表1
2016116300.tif 000010
○陽子の中に3つの輪がある場合。
陽子の中の電磁気は(1.2×102)2束で、１つの輪のエネルギーは7.273×10−23Jです。1束を5.0508×10−27Jとしています。
陽子の中の3つの輪のエネルギーは其々、7.273×10−23Jです。この陽子は高エネルギー加速器の中で、光速で回転していますので、3×108倍のエネルギーに成っています。
7.273×10−23J×3×108＝2.182×10−14J、です。
・これは何MeVか。
１J=6.2415×1018eVですから、
2.182×10−14J×6.2415×1018eV＝1.362×105eV=0.1362MeV
uクオークのスピンは1/2で、5〜15MeVです。
私の計算では0.1362MeVです。
これは、陽子のラブの公転軌道を核磁子から計算したからです。
陽子のラブの公転軌道は、真実はもっと小さい軌道で、高エネルギーの軌道です。
それで、1つの輪は0.1362MeVではなく、5〜15MeVであると考える。
○クオーク＝5MeVである場合。
・1つの輪は0.1362MeVではなく、5MeVであるとすると、何倍のエネルギーであるか。
5MeV÷0.1362MeV＝36.71倍
1つの束は、核磁子の36.71倍のエネルギーです。
それで、1束のエネルギーを36.71倍のエネルギーとする。
1束のエネルギーは、5.0508×10−27J×36.71＝1.854×10−25J、です。
1束のエネルギーは1.854×10−25Jです。
１輪のエネルギーは、1.854×10−25J×(1.2×102)2束＝2.670×10−21J、です。
検算
2.670×10−21Jは何MeVか。
2.670×10−21J×6.2415×1018eV=1.666×10−2eV
1.666×10−2eV×3×108＝4.998×106eV=4.998MeV
・磁気の光子1個のエネルギーと軌道はいくらか。
1束のエネルギーは、5.0508×10−27J×36.71＝1.854×10−25J、です。
これは、(4.34×104)2回の自転でできたエネルギーですから、(4.34×104)2個の磁気の光子です。
1個の磁気の光子のエネルギーは、1.854×10−25J÷(4.34×104)2個＝9.843×10−35J、です。
磁気の光子1個のエネルギーは、9.843×10−35Jですから、
陽子の中で、磁気の光子の自転軌道は、2006年11月5日に提出した特願2006−336352より、
陽子の中で、1自転で作る磁気の光子1個のエネルギーは、1.121×10−53Jm÷自転軌道、ですから、
軌道＝1.121×10−53Jm÷磁気の光子1個のエネルギー＝1.121×10−53Jm÷(9.843×10−35J)＝1.139×10−19m、です。
磁気の光子1個のエネルギーは9.843×10−35Jで、軌道は1.139×10−19mです。
陽子のラブの自転により磁気の光子ができるので、陽子のラブの自転軌道も1.139×10−19mです。
・電気の光子1個のエネルギーと軌道はいくらか。
電気の光子1個のエネルギーは、磁気の光子の4.34×104個分ですから、9.843×10−35J×4.34×104個＝4.272×10−30J、です。
陽子の中で、電気の光子の軌道は、2006年11月5日に提出した特願2006−336352より、
陽子の中で、電気の光子の軌道＝6.724×10−45Jm÷1個の電気の光子のエネルギー、ですから、
電気の光子の軌道＝6.724×10−45Jm÷(4.272×10−30J)＝1.574×10−15m、です。
電気の光子1個のエネルギーは4.272×10−30Jで、軌道は1.574×10−15mです。
陽子のラブの１公転により電気の光子が1個できるので、
電気の光子の軌道＝陽子のラブの公転軌道と考えて、陽子のラブの公転軌道は1.574×10−15mです。
・陽子のラブの軌道エネルギーはいくらか。
陽子のラブの軌道エネルギー＝陽子のラブのエネルギー×陽子のラブの公転軌道＝1.5×10−10J×1.574×10−15m＝2.361×10−25Jm
陽子のラブの軌道エネルギーは、2.361×10−25Jmです。
陽子の中に3つの輪があり、1つの輪は0.1362MeVではなく、5MeVである場合
表2
2016116300.tif 000011
コメント
・この場合、陽子の中の電磁気がクオークのエネルギーと同じであると考えられるので、適当です。
・この事により、陽子の中の状態を知ることができる。
・今までは、核磁子により陽子のラブの公転軌道やエネルギーを計算できなかったが、真実はこれらの値より陽子のラブは高エネルギーの軌道を自転しながら公転している。そのデータ−を得ることができた。
陽子のラブの自転軌道は1.139×10−19mで、陽子のラブの公転軌道は1.574×10−15mである。
○クオーク＝15MeVである場合。
・1つの輪は0.1362MeVではなく、１5MeVであるとすると、何倍のエネルギーであるか。
１5MeV÷0.1362MeV＝110.132倍
1つの束は、核磁子の110.132倍のエネルギーです。
それで、1束のエネルギーを110.132倍のエネルギーとする。
1束のエネルギーは、5.0508×10−27J×110.132＝5.558×10−25J、です。
1束のエネルギーは、5.558×10−25Jです。
1輪のエネルギーは、5.558×10−25J×(1.2×102)2束＝8.003×10−21J、です。
検算
8.003×10−21Jは何MeV か。
8.003×10−21J×6.2415×1018eV=4.995×10−2eV
4.995×10−2eV×3×108＝15×106eV=5MeV
・磁気の光子1個のエネルギーと軌道はいくらか。
1束のエネルギーは、5.0508×10−27J×110.132＝5.558×10−25J、です。
これは、(4.34×104)2個の磁気の光子のエネルギーですから、1個の磁気の光子のエネルギーは、
1個の磁気の光子のエネルギー＝5.558×10−25J÷(4.34×104)2個＝2.951×10−34J、です。
磁気の光子の軌道＝1.121×10−53Jm÷磁気の光子1個のエネルギー＝1.121×10−53Jm÷(2.951×10−34J)＝3.799×10−20m
磁気の光子1個のエネルギーは2.951×10−34Jで、軌道は3.799×10−20mです。
陽子のラブの自転により磁気の光子ができるので、陽子のラブの自転軌道も3.799×10−20mです。
・電気の光子1個のエネルギーと軌道はいくらか。
磁気の光子1個のエネルギーは、2.951×10−34Jですから、
電気の光子1個のエネルギーは、これの4.34×104個分ですから、2.951×10−34J×4.34×104個＝1.281×10−29J、です。
陽子の中の電気の光子の公転軌道＝6.724×10−45Jm÷(1.281×10−29J)＝5.250×10−16m。
電気の光子1個のエネルギーは1.281×10−29Jで、軌道は5.250×10−16mです。
陽子のラブの１公転により電気の光子が1個できるので、
電気の光子の軌道＝陽子のラブの公転軌道と考えて、陽子のラブの公転軌道は5.250×10−16mです。
・陽子のラブの軌道エネルギーはいくらか。
陽子のラブの軌道エネルギー＝陽子のラブのエネルギー×陽子のラブの公転軌道＝1.5×10−10J×5.250×10−16m＝7.879×10−26Jm
陽子のラブの軌道エネルギーは、7.879×10−26Jmです。
陽子の中に3つの輪があり、1つの輪は0.1362MeVではなく、１5MeVである場合
表3
2016116300.tif 000012
コメント
・陽子の中は高エネルギーなので、少し軌道が小さいと100倍のエネルギーになると考えられるので、これはクオークに見なされるに適当です。
○陽子のなかに6つの輪がある場合。
陽子の中の電気の光子は1.2×102束で、１つの輪のエネルギーは6.061×10−25Jです。1束を5.0508×10−27Jとしています。
このエネルギーは光速で回転していますので、3×108倍のエネルギーに成っています。
6.061×10−25J×3×108＝1.818×10−16J、です。
・これは何MeVか。１J=6.2415×1018eVですから、
1.818×10−16J×6.2415×1018eV＝1.135×103eV=1.135×10−3MeV
uクオークはスピンは1/2で、5〜15MeVです。
これは、5MeVの何倍か。
1.135×10−3MeV÷5MeV＝2.27×10―4、倍ですから、エネルギーが小さすぎます。
よって、陽子のラブの輪は6つの輪ではありません。
【請求項２】
電子のラブの輪について。
○電子の中に3つの輪がある場合。
電子の中の電磁気は(4.546×10)2束で、１つの輪のエネルギーは1.917×10−20Jです。1束を9.274×10−24J(ボーア磁子)としています。
電子の中の3つの輪のエネルギーは其々、1.917×10−20Jです。このエネルギーは光速で回転していますので、3×108倍のエネルギーに成っています。
1.917×10−20J×3×108＝5.751×10−12J、です。
・これは何MeVか。
１J=6.2415×1018eVですから、
5.751×10−12J×6.2415×1018eV＝3.58948×107eV=35.895MeV
これは35.895MeVです。
ｄクオークのスピンは1/2で、2〜8MeVです。
私の計算では35.895MeVです。
これは、電子のラブの公転軌道をボーア磁子から計算した公転軌道です。
それで、1つの輪は35.895MeVではなく、2〜8MeVであると考える。
○クオーク＝2MeVである場合。
・1つの輪は35.895MeVではなく、2MeVであるとすると、何倍のエネルギーであるか。
2MeV÷35.895MeV＝5.57×10−2倍
1つの束は、ボーア磁子の5.57×10−2倍のエネルギーです。
それで、1束のエネルギーを5.57×10−2倍のエネルギーとする。
1束のエネルギーは、9.274×10−24J×5.57×10−2＝5.1656×10−25J、です。
1輪のエネルギーは、1束のエネルギー×束数＝5.1656×10−25J×(4.546×10)2束＝1.0675×10−21J、です。
検算
1.0675×10−21J×6.2415×1018eV=6.663×10−3eV
6.663×10−3eV×3×108＝1.999×106eV=1.999MeV
・磁気の光子1個のエネルギーと軌道はいくらか。
1束のエネルギーは、5.0508×10−27J×36.71＝1.854×10−25J、です。
これは、(7.96×１07)2回の自転でできたエネルギーですから、(7.96×１07)2個の磁気の光子です。
1束には(7.96×１07)2個の磁気の光子が存在しますから、
磁気の光子1個のエネルギー＝1束のエネルギー÷(7.96×107)2＝5.1656×10−25J÷(7.96×107)2＝8.153×10−41J
磁気の光子の軌道エネルギーは、6.112×10−57Jmですから、(特願2006−336352に記す)   6.112×10−57Jm÷(8.153×10−41J)＝7.497×10−17m。
磁気の光子1個のエネルギーは8.153×10−41Jで、軌道は7.497×10−17mです。
電子のラブの自転軌道は7.497×10−17mです。
・電気の光子1個のエネルギーと軌道はいくらか。
1束には7.96×107公転でできた、7.96×107個の電気の光子が存在しますから、
電気の光子１個のエネルギー＝1束のエネルギー÷(7.96×107個)＝5.1656×10−25J÷(7.96×107個)＝6.4894×10−33J
この公転軌道は、1.233×10−41Jm÷(6.4894×10−33J)＝1.900×10−9m、です。
電気の光子1個のエネルギーは6.4894×10−33Jで、軌道は1.900×10−9mです。
電子のラブの公転軌道は1.900×10−9mです。
・電子のラブの公転軌道エネルギーはいくらか。
電子のラブの公転軌道エネルギー＝電子のラブのエネルギー×電子のラブの公転軌道＝8.187×10−14J×1.900×10−9m＝1.556×10−22Jm。
電子のラブの公転軌道エネルギーは1.556×10−22Jmです。
電子の中に3つの輪があり、1つの輪は35.895MeVではなく、2MeVである場合
表4
2016116300.tif 000013
コメント
・この場合、電子のラブの自転軌道や公転軌道が地表より大きくエネルギーは小さいので不適当です。
○クオーク＝８MeVである場合。
・1つの輪は35.895MeVではなく、8MeVであるとすると、何倍のエネルギーであるか。
8MeV÷35.895MeV＝2.229×10−1倍
1つの束は、ボーア磁子の2.229×10−1倍のエネルギーです。
それで、1束のエネルギーを2.229×10−1倍のエネルギーとする。
1束は、ボーア磁子×2.229×10−1＝9.274×10−24J×2.229×10−1＝2.067×10−24J
1束が2.067×10−24Jであれば、8MeVになる。
・1輪のエネルギーは、1束のエネルギー×束数＝2.067×10−24J×(4.546×10)2束＝4.272×10−21 J、です。
検算
4.272×10−21J×6.2415×1018eV=2.666×10−2eV
2.666×10−2eV×3×108＝7.998×106eV=7.998MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝2.067×10−24J÷(7.96×107)2＝3.262×10−40J
磁気の光子の軌道＝6.112×10−57Jm÷磁気の光子1個のエネルギー＝6.112×10−57Jm÷(3.262×10−40J)＝1.874×10−17m
磁気の光子1個のエネルギーは3.262×10−40Jで、軌道は1.874×10−17mです。
電子のラブの自転軌道は1.874×10−17mです。
・電気の光子１個のエネルギーと軌道はいくらか。
1束には7.96×107公転でできた、7.96×107個の電気の光子が存在しますから、
電気の光子１個のエネルギー＝1束のエネルギー÷(7.96×107個)＝2.067×10−24J÷(7.96×107個)＝2.597×10−32J
電気の光子の公転軌道＝1.233×10−41Jm÷(2.597×10−32J)＝4.748×10−10m
電気の光子１個のエネルギーは2.597×10−32Jで、軌道は4.748×10−10mです。
電子のラブの公転軌道は4.748×10−10mです。
・電子のラブの公転軌道エネルギーはいくらか。
電子のラブの公転軌道＝電子のラブの公転軌道×電子のラブのエネルギー＝4.748×10−10m×8.187×10−14J＝4.186×10−23Jm。
電子のラブの公転軌道エネルギーは4.186×10−23Jmです。
電子の中に3つの輪があり、1つの輪は35.895MeVではなく、8MeVである場合。
表5
2016116300.tif 000014
コメント
・この場合、ボーア磁子で計算したエネルギーより更に小さいエネルギーに成っているので不適当です。
○電子の中で輪が6つの場合。
電子の中の電気の光子の束は4.546×10束で、１つの輪のエネルギーは4.216×10−22Jです。1束を9.274×10−24J(ボーア磁子)としています。
電子の中の磁気の光子の束は4.546×10束で、１つの輪のエネルギーは4.216×10−22Jです。1束を9.274×10−24J(ボーア磁子)としています。
電子の中の6つの輪のエネルギーは其々、4.216×10−22Jです。このエネルギーは光速で回転していますので、3×108倍のエネルギーに成っています。
4.216×10−22J×3×108＝1.265×10−13J
1.265×10−13J×6.2415×1018eV=7.895×105eV=7.895×10−1MeV
1つの輪のエネルギーは7.895×10−1MeVです。これは、1束のエネルギーを9.274×10−24J(ボーア磁子)としているからです。
真実の束のエネルギーはこれより大きく、軌道はもっと小さい。
dクオークのスピンは1/2で、2〜8MeVです。
○クオーク＝2MeVである場合。
・1つの輪は7.895×10−1MeVではなく、2MeVであるとすると、何倍のエネルギーであるか。
2MeV÷(7.895×10−1MeV)＝2.533倍
1つの束は、ボーア磁子の2.533倍のエネルギーです。
それで、1束のエネルギーを2.533倍のエネルギーとする。
1束のエネルギー＝9.274×10−24J×2.533＝2.349×10−23J
1束のエネルギーは、2.349×10−23Jです。
1輪のエネルギーは、2.349×10−23J×4.546×10＝1.068×10−21J、です。この輪が6つあります。
検算
1.068×10−21J×6.2415×1018eV=6.666×10−3eV
6.666×10−3eV×3×108＝2.000×106eV=2MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝9.274×10−24J÷(7.96×107)2＝1.464×10−39J
磁気の光子の軌道＝6.112×10−57Jm÷磁気の光子1個のエネルギー＝6.112×10−57Jm÷(1.464×10−39J)＝4.175×10−18m
磁気の光子1個のエネルギーは1.464×10−39Jで、軌道は4.175×10−18mです。
電子のラブの自転軌道は4.175×10−18mです。
・電気の光子１個のエネルギーと軌道はいくらか。
1束には7.96×107公転でできた7.96×107個の電気の光子が存在しますから、
電気の光子１個のエネルギー＝1束のエネルギー÷(7.96×107個)＝2.349×10−23J÷(7.96×107個)＝2.951×10−31J
電気の光子の軌道＝1.233×10−41Jm÷(2.951×10−31J)＝4.178×10−11m
電気の光子１個のエネルギーは2.951×10−31Jで、軌道は4.178×10−11mです。
電子のラブの公転軌道は4.178×10−11mです。
・電子のラブの公転軌道エネルギーはいくらか。
電子のラブの公転軌道エネルギー＝電子のラブの公転軌道×電子のラブのエネルギー＝4.178×10−11m×8.187×10−14J＝3.421×10−24Jm
電子のラブの公転軌道エネルギーは3.421×10−24Jmです。
電子の中に6つの輪があり、1つの輪は7.895×10−1MeVではなく、2MeVであるとする場合
表6
2016116300.tif 000015
コメント
・この場合、1つの束のエネルギーがボーア磁子の2.5倍であり、クオークに見なされるのに適当です。
・電子の中では、陽子の中より低エネルギーであり、引力も小さいので、磁気の光子と電気の光子は離れて存在していると考えられる。
○クオーク＝8MeVである場合。
・1つの輪は7.895×10−1MeVではなく、8MeVであるとすると、何倍のエネルギーであるか。
8MeV÷(7.895×10−1MeV)＝10.133倍
1つの束は、ボーア磁子の10.133倍のエネルギーです。
それで、1束のエネルギーを10.133倍のエネルギーとする。
1束のエネルギー＝9.274×10−24J×10.133＝9.397×10−23J
1束のエネルギーは、9.397×10−23Jです。
1輪のエネルギーは、9.397×10−23J×4.546×10＝4.272×10−21J、です。この輪が6つあります。
検算
4.272×10−21J×6.2415×1018eV＝2.666×10−2eV
2.666×10−2eV×3×108＝7.998×106eV=7.998MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝9.397×10−23J÷(7.96×107)2＝1.483×10−38J
磁気の光子の軌道＝6.112×10−57Jm÷磁気の光子1個のエネルギー＝6.112×10−57Jm÷(1.483×10−38J)＝4.121×10−19m
磁気の光子1個のエネルギーは1.483×10−38Jで、軌道は4.121×10−19mです。
電子のラブの自転軌道は4.121×10−19mです。
・電気の光子１個のエネルギーと軌道はいくらか。
1束には7.96×107公転でできた7.96×107個の電気の光子が存在しますから、
電気の光子１個のエネルギー＝1束のエネルギー÷(7.96×107個)＝9.397×10−23J÷(7.96×107個)＝1.181×10−30J
電気の光子の軌道＝1.233×10−41Jm÷(1.181×10−30J)＝1.044×10−11m
電気の光子１個のエネルギーは1.181×10−30Jで、軌道は1.044×10−11mです。
電子のラブの公転軌道は1.044×10−11mです。
・電子のラブの公転軌道エネルギーはいくらか。
電子のラブの公転軌道エネルギー＝電子のラブの公転軌道×電子のラブのエネルギー＝1.044×10−11m×8.187×10−14J＝8.547×10−25Jm
電子のラブの公転軌道エネルギーは8.547×10−25Jmです。
電子の中に6つの輪があり、1つの輪は7.895×10−1MeVではなく、8MeVであるとする場合。
表7
2016116300.tif 000016
コメント
・この場合、1つの束のエネルギーがボーア磁子の10倍であり、クオークに見なされるのに適当です。
・電子の中では、陽子の中より低エネルギーであり、引力も小さいので、磁気の光子と電気の光子は離れて存在していると考えられる。
・私は、ボーア磁子とボーア半径から電子のラブの状態を計算した。けれども電子のラブの公転軌道はもっと小さいのかもしれない。
・これらの事から電子の中の様子をもっと詳しく知る事ができるかもしれない。
・電子のラブの公転軌道は1.044×10−11mで、自転軌道は4.121×10−19mであると計算できた。
【発明の詳細な説明】
【技術分野】
【０００１】
本発明は、高エネルギー加速器で観察されるものに関する。
【背景技術】
【０００２】
2014年12月6日に提出した、特願2014−247501に、高エネルギー加速器で観察されるものについて記した。
【先行技術文献】
【特許文献】
【０００３】
【特許文献１】特願2014−247501
【特許文献２】特願2006−336352
【発明の概要】
【発明が解決しようとする課題】
【０００４】
uクオークとｄクオークは陽子のラブが自転して作る磁気の光子や公転して作る電気の光子であると考えその考えを特願2014−247501に記した。
私は陽子のラブが作る1束を核磁子のエネルギー(5.0508×10−27J)として計算した。また、電子のラブが作る1束のエネルギーをボーア磁子(9.274×10−24J)として計算した。
しかし、核磁子のエネルギーは陽子の外側軌道の磁気の光子のエネルギーである。陽子のラブはもっと内側を公転しているので磁気の光子のエネルギーはもっと高エネルギーであり、陽子のラブの自転軌道も公転軌道も、もっと小さい軌道であり、高エネルギーの軌道である。真実の陽子のラブの公転軌道や自転軌道はいくらか。
ボーア磁子のエネルギーは電子の外側の軌道の磁気の光子のエネルギーである。電子のラブはもっと内側を公転しているので磁気の光子のエネルギーはもっと高エネルギーであり、電子のラブの自転軌道も公転軌道も、もっと小さい軌道であり、高エネルギーの軌道である。真実の電子の公転軌道や自転軌道はいくらか。
【課題を解決するための手段】
【０００５】
真実の陽子の公転軌道や自転軌道をuクオークから算出する。真実の電子の公転軌道や自転軌道をｄクオークから算出する。
【発明の効果】
【０００６】
次の事が理解できた。
１．陽子の中に3つの輪があり、1つの輪は0.1362MeVではなく、5MeVである場合。
陽子の中の束のエネルギーは核磁子の束の、5MeV÷0.1362MeV＝36.71倍のエネルギーです。3つの輪のエネルギーは5MeVです。これがクオークに成る。
この場合、陽子のラブの自転軌道は1.139×10−19mで、陽子のラブの公転軌道は1.574×10−15mです。
２．陽子の中に3つの輪があり、1つの輪は0.1362MeVではなく、１5MeVである場合。
陽子の中の束のエネルギーは核磁子の束の、１5MeV÷0.1362MeV＝110.132倍のエネルギーです。３つの輪のエネルギーは15 MeVです。これがクオークに成る。
この場合、陽子のラブの自転軌道は3.799×10−20mで、陽子のラブの公転軌道は5.250×10−16mです。
３．電子の中に6つの輪があり、1つの輪は7.895×10−1MeVではなく、2MeVであるとする場合。
電子の中の束のエネルギーはボーア磁子の束の、２MeV÷(7.895×10−1MeV)＝2.533倍のエネルギーです。6つの輪のエネルギーは２MeVです。これがクオークに成る。
この場合、電子のラブの自転軌道は4.175×10−18mで、電子のラブの公転軌道は4.178×10−11mです。
４．電子の中に6つの輪があり、1つの輪は7.895×10−1MeVではなく、8MeVであるとする場合。
電子の中の束のエネルギーはボーア磁子の束の、8MeV÷(7.895×10−1MeV)＝10.133倍のエネルギーです。6つの輪のエネルギーは8MeVです。これがクオークに成る。
この場合、電子のラブの自転軌道は4.121×10−19mで、電子のラブの公転軌道は1.044×10−11mです。
【図面の簡単な説明】
【０００７】
【図１】図１は陽子の中に3つの輪があり、1つの輪は0.1362MeVではなく、5MeVである場合。核磁子のエネルギーの、5MeV÷0.1362MeV＝36.71倍のエネルギーが陽子の中のエネルギーとみなされる。陽子の中のエネルギーが核磁子の36.71倍であるなら、クオークのエネルギーと陽子の中の電磁気の輪のエネルギーは等しい。クオークは電磁気であると考えられる。この事により、陽子の中の状態を知ることができる。今までは、核磁子により陽子のラブの公転軌道やエネルギーを計算したが、真実はこれらの値より、陽子のラブは高エネルギーの軌道を自転しながら公転している。そのデータ−を得ることができた。陽子のラブの公転軌道は1.574×10−15mで、陽子のラブの自転軌道は1.139×10−19mであると計算できた。
【図２】図２は電子の中に6つの輪があり、1つの輪は7.895×10−1MeVではなく、8MeVであるとする場合。ボーア磁子のエネルギーの、8MeV÷(7.895×10−1MeV)＝10.133倍のエネルギーが電子の中のエネルギーとみなされる。電子の中のエネルギーがボーア磁子の10.133倍であるなら、クオークのエネルギーと電気の光子のエネルギーと磁気の光子のエネルギーは等しい。同じものかもしれない。電子の中は、陽子の中より低エネルギーであり、引力も小さいので、磁気の光子と電気の光子は離れて存在していると考えられる。私は、ボーア磁子とボーア半径から電子のラブの状態を計算した。けれども電子のラブの公転軌道はもっと小さいのかもしれない。これらの事から電子の中の様子をもっと詳しく知る事ができるかもしれない。電子のラブの公転軌道は1.044×10−11mで、自転軌道は4.121×10−19mであると計算できた。
【発明を実施するための形態】
【０００８】
１．    陽子のラブの輪について。
特願2014−247501において、表1のように考えた。
表1
2016116300.tif 000003
○陽子の中に3つの輪がある場合。
陽子の中の電磁気は(1.2×102)2束で、１つの輪のエネルギーは7.273×10−23Jです。1束を5.0508×10−27Jとしています。
陽子の中の3つの輪のエネルギーは其々、7.273×10−23Jです。この陽子は高エネルギー加速器の中で、光速で回転していますので、3×108倍のエネルギーに成っています。
7.273×10−23J×3×108＝2.182×10−14J、です。
・これは何MeVか。
１J=6.2415×1018eVですから、
2.182×10−14J×6.2415×1018eV＝1.362×105eV=0.1362MeV
uクオークのスピンは1/2で、5〜15MeVです。
私の計算では0.1362MeVです。
これは、陽子のラブの公転軌道を核磁子から計算したからです。
陽子のラブの公転軌道は、真実はもっと小さい軌道で、高エネルギーの軌道です。
それで、1つの輪は0.1362MeVではなく、5〜15MeVであると考える。
○クオーク＝5MeVである場合。
・1つの輪は0.1362MeVではなく、5MeVであるとすると、何倍のエネルギーであるか。
5MeV÷0.1362MeV＝36.71倍
1つの束は、核磁子の36.71倍のエネルギーです。
それで、1束のエネルギーを36.71倍のエネルギーとする。
1束のエネルギーは、5.0508×10−27J×36.71＝1.854×10−25J、です。
1束のエネルギーは1.854×10−25Jです。
１輪のエネルギーは、1.854×10−25J×(1.2×102)2束＝2.670×10−21J、です。
検算
2.670×10−21Jは何MeVか。
2.670×10−21J×6.2415×1018eV=1.666×10−2eV
1.666×10−2eV×3×108＝4.998×106eV=4.998MeV
・磁気の光子1個のエネルギーと軌道はいくらか。
1束のエネルギーは、5.0508×10−27J×36.71＝1.854×10−25J、です。
これは、(4.34×104)2回の自転でできたエネルギーですから、(4.34×104)2個の磁気の光子です。
1個の磁気の光子のエネルギーは、1.854×10−25J÷(4.34×104)2個＝9.843×10−35J、です。
磁気の光子1個のエネルギーは、9.843×10−35Jですから、
陽子の中で、磁気の光子の自転軌道は、2006年11月5日に提出した特願2006−336352より、
陽子の中で、1自転で作る磁気の光子1個のエネルギーは、1.121×10−53Jm÷自転軌道、ですから、
軌道＝1.121×10−53Jm÷磁気の光子1個のエネルギー＝1.121×10−53Jm÷(9.843×10−35J)＝1.139×10−19m、です。
磁気の光子1個のエネルギーは9.843×10−35Jで、軌道は1.139×10−19mです。
陽子のラブの自転により磁気の光子ができるので、陽子のラブの自転軌道も1.139×10−19mです。
・電気の光子1個のエネルギーと軌道はいくらか。
電気の光子1個のエネルギーは、磁気の光子の4.34×104個分ですから、9.843×10−35J×4.34×104個＝4.272×10−30J、です。
陽子の中で、電気の光子の軌道は、2006年11月5日に提出した特願2006−336352より、
陽子の中で、電気の光子の軌道＝6.724×10−45Jm÷1個の電気の光子のエネルギー、ですから、
電気の光子の軌道＝6.724×10−45Jm÷(4.272×10−30J)＝1.574×10−15m、です。
電気の光子1個のエネルギーは4.272×10−30Jで、軌道は1.574×10−15mです。
陽子のラブの１公転により電気の光子が1個できるので、
電気の光子の軌道＝陽子のラブの公転軌道と考えて、陽子のラブの公転軌道は1.574×10−15mです。
・陽子のラブの軌道エネルギーはいくらか。
陽子のラブの軌道エネルギー＝陽子のラブのエネルギー×陽子のラブの公転軌道＝1.5×10−10J×1.574×10−15m＝2.361×10−25Jm
陽子のラブの軌道エネルギーは、2.361×10−25Jmです。
陽子の中に3つの輪があり、1つの輪は0.1362MeVではなく、5MeVである場合
表2
2016116300.tif 000004
コメント
・この場合、陽子の中の電磁気がクオークのエネルギーと同じであると考えられるので、適当です。
・この事により、陽子の中の状態を知ることができる。
・今までは、核磁子により陽子のラブの公転軌道やエネルギーを計算できなかったが、真実はこれらの値より陽子のラブは高エネルギーの軌道を自転しながら公転している。そのデータ−を得ることができた。
陽子のラブの自転軌道は1.139×10−19mで、陽子のラブの公転軌道は1.574×10−15mである。
○クオーク＝15MeVである場合。
・1つの輪は0.1362MeVではなく、１5MeVであるとすると、何倍のエネルギーであるか。
１5MeV÷0.1362MeV＝110.132倍
1つの束は、核磁子の110.132倍のエネルギーです。
それで、1束のエネルギーを110.132倍のエネルギーとする。
1束のエネルギーは、5.0508×10−27J×110.132＝5.558×10−25J、です。
1束のエネルギーは、5.558×10−25Jです。
1輪のエネルギーは、5.558×10−25J×(1.2×102)2束＝8.003×10−21J、です。
検算
8.003×10−21Jは何MeV か。
8.003×10−21J×6.2415×1018eV=4.995×10−2eV
4.995×10−2eV×3×108＝15×106eV=5MeV
・磁気の光子1個のエネルギーと軌道はいくらか。
1束のエネルギーは、5.0508×10−27J×110.132＝5.558×10−25J、です。
これは、(4.34×104)2個の磁気の光子のエネルギーですから、1個の磁気の光子のエネルギーは、
1個の磁気の光子のエネルギー＝5.558×10−25J÷(4.34×104)2個＝2.951×10−34J、です。
磁気の光子の軌道＝1.121×10−53Jm÷磁気の光子1個のエネルギー＝1.121×10−53Jm÷(2.951×10−34J)＝3.799×10−20m
磁気の光子1個のエネルギーは2.951×10−34Jで、軌道は3.799×10−20mです。
陽子のラブの自転により磁気の光子ができるので、陽子のラブの自転軌道も3.799×10−20mです。
・電気の光子1個のエネルギーと軌道はいくらか。
磁気の光子1個のエネルギーは、2.951×10−34Jですから、
電気の光子1個のエネルギーは、これの4.34×104個分ですから、2.951×10−34J×4.34×104個＝1.281×10−29J、です。
陽子の中の電気の光子の公転軌道＝6.724×10−45Jm÷(1.281×10−29J)＝5.250×10−16m。
電気の光子1個のエネルギーは1.281×10−29Jで、軌道は5.250×10−16mです。
陽子のラブの１公転により電気の光子が1個できるので、
電気の光子の軌道＝陽子のラブの公転軌道と考えて、陽子のラブの公転軌道は5.250×10−16mです。
・陽子のラブの軌道エネルギーはいくらか。
陽子のラブの軌道エネルギー＝陽子のラブのエネルギー×陽子のラブの公転軌道＝1.5×10−10J×5.250×10−16m＝7.879×10−26Jm
陽子のラブの軌道エネルギーは、7.879×10−26Jmです。
陽子の中に3つの輪があり、1つの輪は0.1362MeVではなく、１5MeVである場合
表3
2016116300.tif 000005
コメント
・陽子の中は高エネルギーなので、少し軌道が小さいと100倍のエネルギーになると考えられるので、これはクオークに見なされるに適当です。
○陽子のなかに6つの輪がある場合。
陽子の中の電気の光子は1.2×102束で、１つの輪のエネルギーは6.061×10−25Jです。1束を5.0508×10−27Jとしています。
このエネルギーは光速で回転していますので、3×108倍のエネルギーに成っています。
6.061×10−25J×3×108＝1.818×10−16J、です。
・これは何MeVか。１J=6.2415×1018eVですから、
1.818×10−16J×6.2415×1018eV＝1.135×103eV=1.135×10−3MeV
uクオークはスピンは1/2で、5〜15MeVです。
これは、5MeVの何倍か。
1.135×10−3MeV÷5MeV＝2.27×10―4、倍ですから、エネルギーが小さすぎます。
よって、陽子のラブの輪は6つの輪ではありません。
２．    電子のラブの輪について。
○電子の中に3つの輪がある場合。
電子の中の電磁気は(4.546×10)2束で、１つの輪のエネルギーは1.917×10−20Jです。1束を9.274×10−24J(ボーア磁子)としています。
電子の中の3つの輪のエネルギーは其々、1.917×10−20Jです。このエネルギーは光速で回転していますので、3×108倍のエネルギーに成っています。
1.917×10−20J×3×108＝5.751×10−12J、です。
・これは何MeVか。
１J=6.2415×1018eVですから、
5.751×10−12J×6.2415×1018eV＝3.58948×107eV=35.895MeV
これは35.895MeVです。
ｄクオークのスピンは1/2で、2〜8MeVです。
私の計算では35.895MeVです。
これは、電子のラブの公転軌道をボーア磁子から計算した公転軌道です。
それで、1つの輪は35.895MeVではなく、2〜8MeVであると考える。
○クオーク＝2MeVである場合。
・1つの輪は35.895MeVではなく、2MeVであるとすると、何倍のエネルギーであるか。
2MeV÷35.895MeV＝5.57×10−2倍
1つの束は、ボーア磁子の5.57×10−2倍のエネルギーです。
それで、1束のエネルギーを5.57×10−2倍のエネルギーとする。
1束のエネルギーは、9.274×10−24J×5.57×10−2＝5.1656×10−25J、です。
1輪のエネルギーは、1束のエネルギー×束数＝5.1656×10−25J×(4.546×10)2束＝1.0675×10−21J、です。
検算
1.0675×10−21J×6.2415×1018eV=6.663×10−3eV
6.663×10−3eV×3×108＝1.999×106eV=1.999MeV
・磁気の光子1個のエネルギーと軌道はいくらか。
1束のエネルギーは、5.0508×10−27J×36.71＝1.854×10−25J、です。
これは、(7.96×１07)2回の自転でできたエネルギーですから、(7.96×１07)2個の磁気の光子です。
1束には(7.96×１07)2個の磁気の光子が存在しますから、
磁気の光子1個のエネルギー＝1束のエネルギー÷(7.96×107)2＝5.1656×10−25J÷(7.96×107)2＝8.153×10−41J
磁気の光子の軌道エネルギーは、6.112×10−57Jmですから、(特願2006−336352に記す)   6.112×10−57Jm÷(8.153×10−41J)＝7.497×10−17m。
磁気の光子1個のエネルギーは8.153×10−41Jで、軌道は7.497×10−17mです。
電子のラブの自転軌道は7.497×10−17mです。
・電気の光子1個のエネルギーと軌道はいくらか。
1束には7.96×107公転でできた、7.96×107個の電気の光子が存在しますから、
電気の光子１個のエネルギー＝1束のエネルギー÷(7.96×107個)＝5.1656×10−25J÷(7.96×107個)＝6.4894×10−33J
この公転軌道は、1.233×10−41Jm÷(6.4894×10−33J)＝1.900×10−9m、です。
電気の光子1個のエネルギーは6.4894×10−33Jで、軌道は1.900×10−9mです。
電子のラブの公転軌道は1.900×10−9mです。
・電子のラブの公転軌道エネルギーはいくらか。
電子のラブの公転軌道エネルギー＝電子のラブのエネルギー×電子のラブの公転軌道＝8.187×10−14J×1.900×10−9m＝1.556×10−22Jm。
電子のラブの公転軌道エネルギーは1.556×10−22Jmです。
電子の中に3つの輪があり、1つの輪は35.895MeVではなく、2MeVである場合
表4
2016116300.tif 000006
コメント
・この場合、電子のラブの自転軌道や公転軌道が地表より大きくエネルギーは小さいので不適当です。
○クオーク＝８MeVである場合。
・1つの輪は35.895MeVではなく、8MeVであるとすると、何倍のエネルギーであるか。
8MeV÷35.895MeV＝2.229×10−1倍
1つの束は、ボーア磁子の2.229×10−1倍のエネルギーです。
それで、1束のエネルギーを2.229×10−1倍のエネルギーとする。
1束は、ボーア磁子×2.229×10−1＝9.274×10−24J×2.229×10−1＝2.067×10−24J
1束が2.067×10−24Jであれば、8MeVになる。
・1輪のエネルギーは、1束のエネルギー×束数＝2.067×10−24J×(4.546×10)2束＝4.272×10−21 J、です。
検算
4.272×10−21J×6.2415×1018eV=2.666×10−2eV
2.666×10−2eV×3×108＝7.998×106eV=7.998MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝2.067×10−24J÷(7.96×107)2＝3.262×10−40J
磁気の光子の軌道＝6.112×10−57Jm÷磁気の光子1個のエネルギー＝6.112×10−57Jm÷(3.262×10−40J)＝1.874×10−17m
磁気の光子1個のエネルギーは3.262×10−40Jで、軌道は1.874×10−17mです。
電子のラブの自転軌道は1.874×10−17mです。
・電気の光子１個のエネルギーと軌道はいくらか。
1束には7.96×107公転でできた、7.96×107個の電気の光子が存在しますから、
電気の光子１個のエネルギー＝1束のエネルギー÷(7.96×107個)＝2.067×10−24J÷(7.96×107個)＝2.597×10−32J
電気の光子の公転軌道＝1.233×10−41Jm÷(2.597×10−32J)＝4.748×10−10m
電気の光子１個のエネルギーは2.597×10−32Jで、軌道は4.748×10−10mです。
電子のラブの公転軌道は4.748×10−10mです。
・電子のラブの公転軌道エネルギーはいくらか。
電子のラブの公転軌道＝電子のラブの公転軌道×電子のラブのエネルギー＝4.748×10−10m×8.187×10−14J＝4.186×10−23Jm。
電子のラブの公転軌道エネルギーは4.186×10−23Jmです。
電子の中に3つの輪があり、1つの輪は35.895MeVではなく、8MeVである場合。
表5
2016116300.tif 000007
コメント
・この場合、ボーア磁子で計算したエネルギーより更に小さいエネルギーに成っているので不適当です。
○電子の中で輪が6つの場合。
電子の中の電気の光子の束は4.546×10束で、１つの輪のエネルギーは4.216×10−22Jです。1束を9.274×10−24J(ボーア磁子)としています。
電子の中の磁気の光子の束は4.546×10束で、１つの輪のエネルギーは4.216×10−22Jです。1束を9.274×10−24J(ボーア磁子)としています。
電子の中の6つの輪のエネルギーは其々、4.216×10−22Jです。このエネルギーは光速で回転していますので、3×108倍のエネルギーに成っています。
4.216×10−22J×3×108＝1.265×10−13J
1.265×10−13J×6.2415×1018eV=7.895×105eV=7.895×10−1MeV
1つの輪のエネルギーは7.895×10−1MeVです。これは、1束のエネルギーを9.274×10−24J(ボーア磁子)としているからです。
真実の束のエネルギーはこれより大きく、軌道はもっと小さい。
dクオークのスピンは1/2で、2〜8MeVです。
○クオーク＝2MeVである場合。
・1つの輪は7.895×10−1MeVではなく、2MeVであるとすると、何倍のエネルギーであるか。
2MeV÷(7.895×10−1MeV)＝2.533倍
1つの束は、ボーア磁子の2.533倍のエネルギーです。
それで、1束のエネルギーを2.533倍のエネルギーとする。
1束のエネルギー＝9.274×10−24J×2.533＝2.349×10−23J
1束のエネルギーは、2.349×10−23Jです。
1輪のエネルギーは、2.349×10−23J×4.546×10＝1.068×10−21J、です。この輪が6つあります。
検算
1.068×10−21J×6.2415×1018eV=6.666×10−3eV
6.666×10−3eV×3×108＝2.000×106eV=2MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝9.274×10−24J÷(7.96×107)2＝1.464×10−39J
磁気の光子の軌道＝6.112×10−57Jm÷磁気の光子1個のエネルギー＝6.112×10−57Jm÷(1.464×10−39J)＝4.175×10−18m
磁気の光子1個のエネルギーは1.464×10−39Jで、軌道は4.175×10−18mです。
電子のラブの自転軌道は4.175×10−18mです。
・電気の光子１個のエネルギーと軌道はいくらか。
1束には7.96×107公転でできた7.96×107個の電気の光子が存在しますから、
電気の光子１個のエネルギー＝1束のエネルギー÷(7.96×107個)＝2.349×10−23J÷(7.96×107個)＝2.951×10−31J
電気の光子の軌道＝1.233×10−41Jm÷(2.951×10−31J)＝4.178×10−11m
電気の光子１個のエネルギーは2.951×10−31Jで、軌道は4.178×10−11mです。
電子のラブの公転軌道は4.178×10−11mです。
・電子のラブの公転軌道エネルギーはいくらか。
電子のラブの公転軌道エネルギー＝電子のラブの公転軌道×電子のラブのエネルギー＝4.178×10−11m×8.187×10−14J＝3.421×10−24Jm
電子のラブの公転軌道エネルギーは3.421×10−24Jmです。
電子の中に6つの輪があり、1つの輪は7.895×10−1MeVではなく、2MeVであるとする場合
表6
2016116300.tif 000008
コメント
・この場合、1つの束のエネルギーがボーア磁子の2.5倍であり、クオークに見なされるのに適当です。
・電子の中では、陽子の中より低エネルギーであり、引力も小さいので、磁気の光子と電気の光子は離れて存在していると考えられる。
○クオーク＝8MeVである場合。
・1つの輪は7.895×10−1MeVではなく、8MeVであるとすると、何倍のエネルギーであるか。
8MeV÷(7.895×10−1MeV)＝10.133倍
1つの束は、ボーア磁子の10.133倍のエネルギーです。
それで、1束のエネルギーを10.133倍のエネルギーとする。
1束のエネルギー＝9.274×10−24J×10.133＝9.397×10−23J
1束のエネルギーは、9.397×10−23Jです。
1輪のエネルギーは、9.397×10−23J×4.546×10＝4.272×10−21J、です。この輪が6つあります。
検算
4.272×10−21J×6.2415×1018eV＝2.666×10−2eV
2.666×10−2eV×3×108＝7.998×106eV=7.998MeV
・磁気の光子1個のエネルギーと軌道はいくらか。
1束には(7.96×１07)2個の磁気の光子がありますから、
磁気の光子1個のエネルギー＝1束のエネルギー÷(7.96×107)2＝9.397×10−23J÷(7.96×107)2＝1.483×10−38J
磁気の光子の軌道＝6.112×10−57Jm÷磁気の光子1個のエネルギー＝6.112×10−57Jm÷(1.483×10−38J)＝4.121×10−19m
磁気の光子1個のエネルギーは1.483×10−38Jで、軌道は4.121×10−19mです。
電子のラブの自転軌道は4.121×10−19mです。
・電気の光子１個のエネルギーと軌道はいくらか。
1束には7.96×107公転でできた7.96×107個の電気の光子が存在しますから、
電気の光子１個のエネルギー＝1束のエネルギー÷(7.96×107個)＝9.397×10−23J÷(7.96×107個)＝1.181×10−30J
電気の光子の軌道＝1.233×10−41Jm÷(1.181×10−30J)＝1.044×10−11m
電気の光子１個のエネルギーは1.181×10−30Jで、軌道は1.044×10−11mです。
電子のラブの公転軌道は1.044×10−11mです。
・電子のラブの公転軌道エネルギーはいくらか。
電子のラブの公転軌道エネルギー＝電子のラブの公転軌道×電子のラブのエネルギー＝1.044×10−11m×8.187×10−14J＝8.547×10−25Jm
電子のラブの公転軌道エネルギーは8.547×10−25Jmです。
電子の中に6つの輪があり、1つの輪は7.895×10−1MeVではなく、8MeVであるとする場合。
表7
2016116300.tif 000009
コメント
・この場合、1つの束のエネルギーがボーア磁子の10倍であり、クオークに見なされるのに適当です。
・電子の中では、陽子の中より低エネルギーであり、引力も小さいので、磁気の光子と電気の光子は離れて存在していると考えられる。
・私は、ボーア磁子とボーア半径から電子のラブの状態を計算した。けれども電子のラブの公転軌道はもっと小さいのかもしれない。
・これらの事から電子の中の様子をもっと詳しく知る事ができるかもしれない。
・電子のラブの公転軌道は1.044×10−11mで、自転軌道は4.121×10−19mであると計算できた。
【産業上の利用可能性】
【０００９】
陽子の中のエネルギーや電子の中のエネルギーを利用できる時代が来るかもしれない。
【符号の説明】
【００１０】
１    ５MeVの電磁気の輪でクオークと同じエネルギー
２    陽子のラブの自転軌道は1.139×10−19m
３    陽子のラブの公転軌道は1.574×10−15m
４    8MeVの磁気の光子の輪でクオークと同じエネルギー
５    8MeVの電気の光子の輪でクオークと同じエネルギー
６    電子のラブの自転軌道は4.121×10−19m
７ 電子のラブの公転軌道は1.044×10−11m
【図１】
2016116300.tif 000017
【図２】
2016116300.tif 000018